(57)【要約】      （修正有）【課題】食物や飲料をコンパクトに、且つ、適温状態で収納できるようにするとともに、配膳のためのスペースも確保できるようにした携帯用ベルト付き弁当箱を提供する。【解決手段】携帯用ベルト２を装着された蓋部材７付き箱状本体１の内部に、断熱壁を介し左右に並設された第１容器収納部および第２容器収納部を備え、各容器収納部には、それぞれ主食物容器および汁物容器と、飲料容器および副食物容器とが収納されており、蓋部材７を、ヒンジ８を介し１８０度回動させた状態で、同蓋部材７は膳として利用される。【選択図】図１
0003158887.tif 000002
【実用新案登録請求の範囲】
【請求項１】
上方に開いた開口部を有するとともに携帯用ベルトを装着された箱状本体と、同箱状本体の内部で断熱壁を介し左右に並設された第１容器収納部および第２容器収納部とを備えるとともに、内側に断熱壁を装着されて上記開口部を閉鎖しうるように設けられた蓋部材を備え、上記第１容器収納部において上方へ取出し可能に上下に重ねて収納される蓋付き主食物容器および着脱式密閉蓋付き汁物容器と、上記第２容器収納部において上方へ取出し可能に上下に重ねて収納される蓋付き副食物容器および着脱式密閉蓋付き飲料容器とを備えて構成されたことを特徴とする、携帯用ベルト付き弁当箱。
【請求項２】
上記箱状本体の内部に、箸箱が着脱可能に設けられていることを特徴とする、請求項１に記載の携帯用ベルト付き弁当箱。
【請求項３】
上記蓋部材が上記箱状本体における上記開口部の一側にヒンジを介し開閉可能に装着されるとともに、上記蓋部材を１８０度回動させて開いた水平状態で同蓋部材の上記箱状本体から離隔した縁部を支持しうる脚部材が、同蓋部材の外面に折り畳み格納可能に付設されていることを特徴とする、請求項１または２に記載の携帯用ベルト付き弁当箱。
【請求項４】
上記携帯用ベルトが、同ベルトの実効長さを調節するためのバックルを装着されていることを特徴とする、請求項１〜３のいずれか１つに記載の携帯用ベルト付き弁当箱。
【考案の詳細な説明】
【技術分野】
【０００１】  本考案は、建設作業に従事する人々が現場へ持参したり、一般家庭でピクニックなどに出かける際に使用したりするのに適した携帯用ベルト付き弁当箱に関する。
【背景技術】
【０００２】  一般に、外出先で弁当を用いる場合、食物を収納した容器をバッグなどに入れて、持ち運ぶことが行われているが、冬期には食物が冷えてしまい、また夏期においても飲み物などを適温に保つことが困難になるという不具合がある。【０００３】  そこで断熱材を内張りにした携帯箱に、主食物や副食物を入れた分別容器を飲料ボトルなどと共に収納して持ち運ぶことも行われているが、携帯箱が著しく嵩ばつてしまい、不便を感じることが多いい。
【考案の開示】
【考案が解決しようとする課題】
【０００４】  本考案は、食物や飲料をコンパクトに，且つ、適温状態で収納できるようにするとともに、配膳のためのスペースも確保できるようにした携帯用ベルト付き弁当箱を提供することを課題とする。
【課題を解決するための手段】
【０００５】  前述の課題を解決するため、本考案の携帯用ベルト付き弁当箱は、上方に開いた開口部を有するとともに携帯用ベルトを装着された箱状本体と、同箱状本体の内部で断熱壁を介し左右に併設された第１容器収納部および第２容器収納部とを備えるとともに、内側に断熱壁を装着されて上記開口部を閉鎖しうるように設けられた蓋部材を備え、上記第１容器収納部において上方へ取り出し可能に上下に重ねて収納される蓋付き主食物容器および着脱式密閉蓋付き汁物容器と、上記第２容器収納部において上方へ取り出し可能に上下に重ねて収納される蓋付き副食物容器および着脱式密閉蓋付き飲料容器とを備えて構成されたことを特徴としている。【０００６】  また、本考案の携帯用ベルト付き弁当箱は、上記箱状本体の内部に、箸箱が着脱可能に設けられていることを特徴としている。【０００７】  さらに、本考案の携帯用ベルト付き弁当箱は、上記蓋部材が上記箱状本体における上記開口部の一側にヒンジを介し開閉可能に装着されるとともに、上記蓋部材を１８０度回動させて開いた水平状態で同蓋部材の上記箱状本体から離隔した縁部を支持しうる脚部材が、同蓋部材の外面に折り畳み格納可能に付設されていることを特徴としている。【０００８】  また、本考案の携帯用ベルト付き弁当箱は、上記携帯用ベルトが、同ベルトの実効長さを調節するためのバックルを装着されていることを特徴としている。
【考案の効果】
【０００９】    上述の本考案の携帯用ベルト付き弁当箱では、工事現場などで働く人々が、この弁当箱を持って出勤する場合、箱状本体に装着された携帯用ベルトを用いて肩に掛けたり腰に巻きつけたりすることにより、弁当箱を容易に持ち運ぶことが可能となる。【００１０】    そして、箱状本体の内部には断熱壁を介し左右に併設された第１容器収納部および第２容器収納部が設けられていて、第１容器収納部には蓋付き主食物容器と着脱式密閉蓋付き汁物容器とが上下で重ねられて収納され、第２容器収納部には蓋付き副食物容器と着脱式密閉蓋付き飲料容器とが上下に重ねられて収納されるので、食事の際には、主食物および汁物や、副食物および飲料が、ほぼ装填時の温度を保ったまま摂取できるようになる。【００１１】    また、食事の際に用いる箸は、上記箱状本体の内部に着脱可能に設けられた箸箱から、簡便に、かつ、衛生的に取り出すことができる。【００１２】    さらに、食事開始のため上記箱状本体の蓋部材を開く際には、同蓋部材をヒンジを介し１８０度回動させた状態で、同蓋部材の上記箱状本体から離隔した縁部を脚部材で支持することができるので、同蓋部材の内側の面を、上記の主食物容器や汁物容器などを載置しうる膳としての食器支持面に用いることができる。【００１３】    また、上記箱状本体に装着された携帯用ベルトが、同ベルトの実効長さを調節するためのバックルを備えることにより、上記箱状本体の携帯に際し、同バックルを操作して、上記ベルトの長さを、肩掛け用に調整したり、腰に巻きつけられるように調整したり、あるいは手提げ用に調整したりして、適切に選択することが可能になる。
【実施例】
【００１４】    本考案による携帯用ベルト付き弁当箱について、図１はその実施例を示す斜視図、図２は図１の弁当箱の水平断面図、図３は図１および図２に示す弁当箱の縦断面図、図４は図１〜３の弁当箱の内部に着脱可能に収納される同型の主食物容器および汁物容器ならびに飲料容器の１つを示す斜視図、図５は図１の弁当箱の内部に収納される同型の２つの副食物容器の１つを示す斜視図である。【００１５】    図１，図２および図３に示すように、上方に開いた２つの開口部１ａを有すると共に携帯用ベルト２を装着された金属製の箱状本体１は、内部に金属製隔壁１Ａおよび発泡プラスチック製の断熱壁３を介し区画されるようにして左右に並設された第１容器収容部４および第２容器収容部５を備えるとともに、内部に断熱部材６を装着されて上記開口部１ａを閉鎖できるように設けられた金属製の蓋部材７が、ヒンジ８を介し本体１の前側上縁に枢着されている。【００１６】    そして、第１容器収容部４には、図４に示すような互いに同型同大のネジ蓋型の着脱式密閉蓋９ａ，１０ａを付設された主食物容器９および汁物容器１０が、上下に重ねて収納されて、上方へ取り出し可能に設けられている。【００１７】    また、第２容器収容部５の下部には、図４に示した容器９，１０と同型同大のネジ蓋型の着脱式密閉蓋１１ａ付き飲料容器１１が収納されるとともに、その上部には各容器９〜１１と比べて高さが半分のネジ蓋型の着脱式密閉蓋１２ａ付き副食物容器１２（図５参照）が、上下に２つ重ねて収納される。【００１８】  金属製の箱状本体１は、その内部に前後の壁部を中央で連結して全体としての強度を十分に保持するための金属製隔壁１Ａを備えている。
そして、隔壁１Ａには、金属製の箸箱入れ部分１ｃおよび金属製の調味料容器入れ部分１ｄが、金属製の同隔壁１Ａと一体に設けられている。【００１９】    本実施例では、さらに、蓋部材７をヒンジ８を介し１８０度回動させて開いた水平状態７’で、同蓋部材７の箱状本体１から離隔した縁部を支持しうるコの字型の金属製脚部材１５が、図１に示すように同蓋部材７の上面に支軸１５ａを介して折り畳み可能に設けられている。
なお、脚部材１５の接地部分には，滑り止めのためゴム被覆１５ｂが施されている。【００２０】    また、脚部材１５を使用状態に保持しうるように、同脚部材１５と蓋部材７の上面との間には、長溝を介し枢着されて折り畳み可能の２つのアームａ、ｂからなる突張り部材Ｔが枢着されている。
さらに、脚部材１５の不使用時に同脚部材１５を摩擦係合により蓋部材７の上面に固定するための突起１６が、同蓋部材７の上面に突設されている。【００２１】    上述の本実施例の携帯用ベルト付き弁当箱では、工事現場で働く人々や家族連れでピクニックに出かける人々などが弁当箱を持って出かける場合、箱状本体１に装着された携帯用ベルト２の長さをバックル２ａで調節して、同ベルト２で箱状本体１を肩に掛けたり腰に巻きつけたりすることにより、この弁当箱を簡便に持ち運ぶことが可能となる。【００２２】    そして、箱状本体１の内部には断熱壁３を介し左右に併設された第１容器収納部４および第２容器収納部５が設けられて、第１容器収納部４には蓋９ａ付き主食物容器９と着脱式密閉蓋１０ａ付き汁物容器１０とが上下に重ねられて収容され、第２容器収納部５には蓋１２ａ付き副食物容器１２と着脱式密閉蓋１１ａ付き飲料容器１１とが上下に重ねられて収容されるので、食事の際には、主食物および汁物や、副食物および飲料が、ほぼ装填時の温度を保ったまま摂取できるようになる。【００２３】    また、食事の際に用いる箸は、箱状本体１の内部に着脱可能に設けられた箸箱１３から、簡便に、かつ衛生的に取り出すことができる。【００２４】    さらに、食事開始のため箱状本体１の蓋部材７を開く際には、同蓋部材７をヒンジ８を介し１８０度回動させた状態で、同蓋部材７の箱状本体１から離隔した縁部を脚部材１５で支持することができるので、同蓋部材７の内側の面を、主食物容器９や汁物容器１０などを載置しうる膳としての食器支持面に用いることができる。【００２５】    また、箱状本体１に装着された携帯用ベルト２が、同ベルト２の実効長さを調節するためのバックル２ａを備えることにより、箱状本体１の携帯に際し、同バックル２ａを操作して、ベルト２の長さを、肩掛け用に調節したり、腰に巻きつけられるように調節したり、あるいは手提げ用に調節したりして、適切に選択することが可能になる。
【図面の簡単な説明】
【００２６】
【図１】  本考案による携帯用ベルト付き弁当箱の斜視図である。
【図２】  図１の弁当箱の水平断面図である。
【図３】  上記弁当箱の縦断面図である。
【図４】  上記弁当箱に収納される容器の１つを示す斜視図である。
【図５】  上記弁当箱に収納される他の容器を示す斜視図である。
【符号の説明】
【００２７】１        箱状本体
１ａ      開口部
１ｃ      箸箱入れ部分
１ｄ      調味料容器入れ部分
１Ａ      隔壁
２        携帯用ベルト
２ａ      バックル
３        断熱壁
４        第１容器収納部
５        第２容器収納部
６        断熱部材
７        蓋部材
８        ヒンジ
９        主食物容器
９ａ      着脱式密閉蓋
１０      汁物容器
１０ａ    着脱式密閉蓋
１１      飲料容器
１１ａ    着脱式密閉蓋
１２      副食物容器
１２ａ    着脱式密閉蓋
１３      箸箱
１４      調味料容器
１５      脚部材
１５ａ    支軸
１５ｂ    ゴム被覆
ａ，ｂ    アーム
Ｔ        突張り部材
【図１】
0003158887.tif 000003
【図２】
0003158887.tif 000004
【図３】
0003158887.tif 000005
【図４】
0003158887.tif 000006
【図５】
0003158887.tif 000007